(57)【要約】      （修正有）【課題】屋外および屋内環境に適合した色を表現することのできる静止画像の撮影方法およびこれを行うための撮影装置を提供する。【解決手段】静止画像の撮影方法は、静止画像の撮影が要請されるステップと、光信号の入射により絞りのオープン量が調整され、絞りのオープン量から撮影場所が屋内および屋外のうちいずれの環境に属するかを判断する撮影場所判断ステップと、撮影場所が屋外環境として判断された場合、屋外環境に適合するよう予め設定された所定のデータに基づいて静止画像の撮影が行われるよう制御し、撮影場所が屋内環境と判断された場合、屋内環境に適合するよう予め設定された所定のデータに基づいて静止画像の撮影が行われるよう制御するステップとを含む。現在カムコーダーが使用されている場所が屋外か屋内かを区分してから、各環境に適合した色に被写体を撮影することができる。【選択図】図２
2006025413.tif 000002
【特許請求の範囲】
【請求項１】
静止画像の撮影が要請されるステップと、
光信号の入射により絞りのオープン量が調整され、前記絞りのオープン量から撮影場所が屋内および屋外のうちいずれの環境に属するかを判断する撮影場所判断ステップと、
判断された環境に適合するようそれぞれ予め設定された所定のデータに基づいて静止画像の撮影が行われるよう制御するステップとを含むことを特徴とする静止画像の撮影方法。
【請求項２】
前記撮影場所の判断ステップは、
前記絞りのオープン量を所定のセンサーを介して検知し、検知された前記絞りのオープン量を所定の電圧値に変換して出力するステップと、
前記所定の電圧値と所定の閾値とを比較するステップと、
前記比較の結果、前記所定の電圧値が所定の閾値より小さい場合、前記撮影場所を屋外環境と判断し、前記所定の電圧値が所定の閾値より大きい場合、前記撮影場所を屋内環境と判断するステップとを含むことを特徴とする請求項１に記載の静止画像の撮影方法。
【請求項３】
前記所定のデータは、色に対するデータであることを特徴とする請求項１に記載の静止画像の撮影方法。
【請求項４】
前記所定のセンサーはホールセンサーであり、前記所定の電圧値は前記ホールセンサーから出力されるホール電圧値であることを特徴とする請求項２に記載の静止画像の撮影方法。
【請求項５】
前記所定の閾値は、ユーザにより変更可能であることを特徴とする請求項２に記載の静止画像の撮影方法。
【請求項６】
静止画像の撮影を要請するための操作部と、
光信号の入射に応じてオープン量が調整される絞りと、
前記絞りのオープン量から撮影場所が屋内および屋外のうちいずれの環境に属するかを判断し、判断された環境に適合するようそれぞれ予め設定された所定のデータに基づいて静止画像の撮影が行われるよう制御するカメラマイコンとを含むことを特徴とする撮影装置。
【請求項７】
前記絞りのオープン量を検知し、検知された前記絞りのオープン量を所定の電圧値に変換して出力する所定のセンサーを更に含み、
前記マイコンは前記所定の電圧値と所定の閾値とを比較し、前記所定の電圧値が所定の閾値より小さい場合、前記撮影場所を屋外環境と判断し、前記所定の電圧値が所定の閾値より大きい場合、前記撮影場所を屋内環境と判断することを特徴とする請求項６に記載の撮影装置。
【請求項８】
前記所定のセンサーはホールセンサーであることを特徴とする請求項７に記載の撮影装置。
【請求項９】
前記屋外環境に適合するよう予め設定された所定のデータと、前記屋内環境に適合するよう予め設定された所定のデータおよび前記所定の閾値を格納するＥＥＰＲＯＭとを更に含むことを特徴とする請求項７に記載の撮影装置。
【請求項１０】
前記所定のデータは、色に対するデータであることを特徴とする請求項９に記載の撮影装置。
【請求項１１】
前記所定の閾値は、ユーザにより変更可能なことを特徴とする請求項９に記載の撮影装置。
【発明の詳細な説明】
【技術分野】
【０００１】
本発明は、屋外および屋内環境に適合した色を表現することのできる静止画像の撮影方法およびこれを行うための撮影装置に関する。
【背景技術】
【０００２】
撮影装置を代表することのできるカムコーダーは被写体を撮影する一般のビデオカメラの機能だけでなく、撮像された被写体を録画できる録画機VCR（ビデオカセットレコーダ）の機能も果している。
【０００３】
係るカムコーダーを用いることによって、ユーザは移動中にも希望する被写体を撮影し記録テープに記録することができ、その後撮影された映像を再生して見ることができる。再生時、ユーザは録画された映像をカムコーダーに備えられたビューファインダーおよび液晶モニターなどのようなディスプレー装置を介して再度みることができ、ＴＶモニターのような外部ディスプレー装置と接続することもできる。
【０００４】
係る従来のカムコーダーでは、静止画像を撮影する時、屋内で撮影する場合と屋外で撮影する場合とを区分せず色に関したデータを同一に使用した。これにより、特に屋内では画面の全体にわたってグリーン色の傾向があることから屋内で色の表現が不適であるという不都合がある。
【０００５】
例えば、屋内の蛍光灯でカムコーダーを用いて被写体を撮影する時、静止画像にはグリーン色が表現されがちである。従って、ユーザがグリーン色を減らすため色に関したデータを調整した後、再び屋外で使用時にはグリーン色がほとんど消える。
【０００６】
一方、屋外で緑葉っぱを撮影する場合、グリーン色がよく表現されるよう色に関したデータを設定した後、ユーザがコーダーを用いて屋内で被写体を撮影する場合、撮影された静止画像にグリーン色が表れすぎるという問題を招く。
【発明の開示】
【発明が解決しようとする課題】
【０００７】
本発明は前述した問題点を解決するために案出されたもので、本発明の目的は、撮影場所を屋内と屋外とに区分した後、色に関したデータを制御し屋内または屋外環境に最も適合した色が表現することのできる静止画像の撮影方法およびこれを行うための撮影装置を提供することにある。
【課題を解決するための手段】
【０００８】
以上の目的を達成するための本発明の一実施の形態に係る屋外および屋内環境に適合した色を表現してくれる静止画像の撮影方法は、静止画像の撮影が要請されるステップと、光信号の入射により絞りのオープン量が調整され、前記絞りのオープン量から撮影場所が屋内および屋外のうちいずれの環境に属するかを判断する撮影場所判断ステップと、判断された環境に適合するようそれぞれ予め設定された所定のデータに基づいて静止画像の撮影が行われるよう制御するステップとを含むことを特徴とする。
【０００９】
なお、前記撮影場所の判断ステップは、前記絞りのオープン量を所定のセンサーを介して検知し、検知された前記絞りのオープン量を所定の電圧値に変換して出力するステップと、前記所定の電圧値と所定の閾値とを比較するステップと、前記比較の結果、前記所定の電圧値が所定の閾値より小さい場合、前記撮影場所を屋外環境と判断し、前記所定の電圧値が所定の閾値より大きい場合、前記撮影場所を屋内環境と判断するステップとを含む。
【００１０】
ここで、前記所定のデータは、色に対するデータであることが好ましい。
【００１１】
前記所定のセンサーはホールセンサーであり、前記所定の電圧値は前記ホールセンサーから出力されるホール電圧値であることが好ましい。
【００１２】
また、前記所定の閾値は、ユーザにより変更可能であることが好ましい。
【００１３】
本発明を行うための撮影装置は、静止画像の撮影を要請するための操作部と、光信号の入射に応じてオープン量が調整される絞りと、前記絞りのオープン量から撮影場所が屋内および屋外のうちいずれの環境に属するかを判断し、判断された環境に適合するようそれぞれ予め設定された所定のデータに基づいて静止画像の撮影が行われるよう制御するカメラマイコンとを含むことを特徴とする。
【００１４】
さらに、本撮影装置は前記絞りのオープン量を検知し、検知された前記絞りのオープン量を所定の電圧値に変換して出力する所定のセンサーを更に含み、前記マイコンは前記所定の電圧値と所定の閾値とを比較し、前記所定の電圧値が所定の閾値より小さい場合、前記撮影場所を屋外環境と判断し、前記所定の電圧値が所定の閾値より大きい場合、前記撮影場所を屋内環境と判断することを特徴とする。
【００１５】
なお、前記所定のセンサーはホールセンサーであることが好ましい。
【００１６】
また、本撮影装置は前記屋外環境に適合するよう予め設定された所定のデータと、前記屋内環境に適合するよう予め設定された所定のデータおよび前記所定の閾値を格納するＥＥＰＲＯＭとを更に含むことが好ましい。
【００１７】
なお、前記所定のデータは、色に対するデータであることが好ましい。
【００１８】
また、前記所定の閾値は、ユーザにより変更可能なことが好ましい。
【発明の効果】
【００１９】
本発明に係る屋外および屋内環境に適合した色を表現することのできる静止画像の撮影方法によると、現在にカムコーダーが使用されている場所を屋内と屋外に区分した後、各環境に適した色に被写体を撮影することができる。従って、従来のように、屋内環境では静止画像を撮影する時画面全体にわたってグリーン色が過度に表れたり、屋外環境では静止画像を撮影する時画面全体に渡ってグリーン色がなくなる現象を抑えることができる。
【発明を実施するための最良の形態】
【００２０】
以下、添付の図面に基づいて本発明の好適な実施形態を詳述する。
【実施例】
【００２１】
図１は本発明に係る屋外および屋内環境に適合した色を表現することのできる静止画像の撮影方法を行うための撮影装置、特に、カムコーダーの構成を示したブロック図である。本カムコーダーは、大いにデジタルビデオカメラとビデオープレコーダーとに構成される。デジタルビデオカメラは、ＣＣＤ（電荷結合素子）２１に撮像された映像データを処理して、ビデオテープレコーダー７０に記録したり、外部のパソコン（図示せず）に伝送、且つ出力部９０に表示してくれる。
【００２２】
レンズ系１０は絞り１１、ズームレンズ１２、フォーカスレンズ１３からなる。
【００２３】
絞り１１は、カメラの主な要素であって、光学系を通過する光線束や光量などを制限する機能を有している。カメラに入ってくる光量を調節できる。絞り１１はモータ１４によりオープン量が調整され、モータ１４はモータ駆動部１５により駆動される。絞り１１のオープン量はホールセンサー１６により検出され、ホールセンサー１６からカメラマイコン４０に印加されるホール電圧により絞り１１のオープン量が把握される。光学系コントローラ３０はレンズの絞り１１のフォーカスを制御するための自動露出および自動フォーカスを行う。
【００２４】
レンズ系１０に入射された光学情報は撮像素子である電荷結合素子（以下、ＣＣＤと称する）２１に供給される。ＣＣＤ２１は光学情報を電気信号に変換する。ＣＣＤ２１で変換された電気信号は相関二重サンプリング素子（以下、ＣＤＳと称する）２２に供給される。
【００２５】
ＣＤＳ２２はＣＣＤ２１から入力された電気信号をサンプリングし増幅する。ＣＤＳ２２でダブルサンプリングされたアナログ信号はアナログーデジタルコンバーター（以下、ＡＤＣと称する）２３に供給される。
【００２６】
ＡＤＣ２３はＣＤＳ２２でダブルサンプリングされたアナログ信号をデジタル信号に変換する。ＡＤＣ２３で変換されたデジタル信号はデジタル信号処理回路（以下ＤＳＰと称する）に供給される。
【００２７】
ＤＳＰ２４はＡＤＣ２３から供給されたデジタル映像信号を輝度（Ｙ）信号と色（Ｃ）信号とに分離し、輝度信号と色信号に所定処理を加えて出力する。ＤＳＰ２４で処理された輝度信号と色信号のデジタル信号は静止画像の撮影時にはフィールドメモリ２５に供給され、動画の撮影時にはフィールドメモリ２５を介してビデオテープレコーダー７０に供給される。ビデオテープレコーダー７０はＤＳＰ２４の出力を磁気テープに記録する。
【００２８】
ＣＣＤ２１、ＣＤＳ２２、ＡＤＣ２３、ＤＳＰ２４、およびフィールドメモリ２５はタイミングジェネレーター（ＴＧ）２６と接続されており、タイミングジェネレーター２６から供給されるクロックパルスと同期信号に応答して所定処理を行う。
【００２９】
カメラマイコン４０は、ＥＥＰＲＯＭ６０に記憶された屋外条件および屋内条件に適合するよう設定された色関連係数および調整値に関するデータを参照してＤＳＰ２４およびタイミングジェネレーター２６のパラメータを設定し、ＤＳＰ２４内で検出された映像信号のデータを用いてフォーカスおよび絞り１１の制御を行う。
【００３０】
ＥＥＰＲＯＭ６０には、屋外条件および屋内条件に適合するよう設定された色関連係数および調整値に関するデータとカムコーダーの撮影場所を把握するのに基準となるホール電圧の閾値が格納されている。
【００３１】
システムマイコン５０は、カムコーダー１００の全体動作を制御し、記録再生、ズームなどの機能を撮影子の操作に応じて制御する。操作部８０は、動画撮影、静止撮影などの動作を指示すると同時に、ズームレンズ１２の位置を変更するための操作を行う。
【００３２】
図２は本発明に係る屋外および屋内環境に適合した色を表現してくれる静止画像の撮影方法を説明するためのフローチャートである。同図に示したように、まず、ユーザが操作部８０の静止画像の撮影をするためのキー入力を介して静止撮影が要請される（Ｓ２００）。静止画像の撮影が開始されれば、カメラマイコン４０はモータ駆動部１５を制御してモータ１４を駆動させ、これにより絞り１１のオープン量がデフォルト状態に調整される。
【００３３】
光信号がレンズ系１０に入射すると、一般に自動露出（Ａｕｔｏ  Ｅｘｐｏｓｕｒｅ）動作により絞り１１のオープン程度が制御される（Ｓ２１０）。即ち、明るい場所では絞りが閉じるよう制御され、反対に屋外のような暗い場所には絞り１１がオープンされるオープン方向に制御される。
【００３４】
この際、絞り１１のオープン程度はホールセンサー１６により検知され、ホールセンサー１６により検知される絞りのオープン程度はホールセンサー１６で出力されるホール電圧に表れる（Ｓ２２０）。
【００３５】
ホール電圧１６はカメラマイコン４０にフィードバックされ、カメラマイコン４０は入力されたホール電圧のサイズと所定の閾値とを比較する（Ｓ２３０）。ホール電圧のサイズと所定の閾値の比較結果に基づいて撮影場所の周辺の明るさを把握することができ、これにより現在カムコーダー１００の使用されている場所が屋内であるか屋外であるかが判断できる。
【００３６】
屋外の太陽光の下には入射光が強いため、絞り１１が閉じられ、これ応じてホール電圧は低くなる。屋内の蛍光灯の下には入射光が弱いため、絞り１１がオープンされ、これに応じてホール電圧は高くなる。
【００３７】
ホールセンサー１６から入力されたホール電圧のサイズがＥＥＰＲＯＭ６０に格納された所定の閾値より小さければ、カメラマイコン４０は現在カムコーダー１００の撮影場所を屋外であると認識し（Ｓ２４０）、ホールセンサー１６から入力されたホール電圧のサイズがＥＥＰＲＯＭ６０に格納された所定の閾値より大きければ、カメラマイコン４０は現在カムコーダー１００の撮影場所を屋内であると認識する（Ｓ２５０）。
【００３８】
一方、ＥＥＰＲＯＭ６０に格納された所定の閾値はユーザの操作により変更可能である。よって、ユーザの操作により閾値が変更される場合、カムコーダー１００の使用場所が屋外か屋内かを判断する基準も異なってくる。
【００３９】
ホール電圧のサイズが所定の閾値より小さく、カムコーダー１００が使用される場所が屋外であると判断されれば、カメラマイコン４０は屋外条件に適合するよう予め設定された色関連係数および調整値を用いて静止画像の撮影が行われるように制御する（Ｓ２６０）。
【００４０】
即ち、カメラマイコン４０はＥＥＰＲＯＭ６０から屋外条件に適合するよう予め設定された色関連の係数および調整値を読み込んで、これをＤＳＰ１４に割当てられた所定のレジスタに提供する。なお、屋外条件とは、太陽光の下でカムコーダー１００を使用するのに適した状態を指す。
【００４１】
ＤＳＰ２４は、カメラマイコン４０から入力された屋外条件に適合するよう予め設定された色関連係数および調整値に基づいて映像処理を行うことによって、デジタル信号である輝度信号および色信号を生成しフィールドメモリ２５に供給する。一方、ホール電圧のサイズが所定の閾値より大きいのでカムコーダー１００が使用される場所が屋内であると判断されれば、カメラマイコン４０は室内条件に適合するよう予め設定された色関連係数および調整値を用いて静止画像の撮影が行われるよう制御する（Ｓ２７０）。
【００４２】
即ち、カメラマイコン４０はＥＥＰＲＯＭ６０から屋内条件に適合するよう予め設定された色関連の係数および調整値を読み込んで、これをＤＳＰ２４に割当てられた所定のレジスタに提供する。なお、屋内条件とは、蛍光灯の下でカムコーダー１００を使用するのに適した状態である。
【００４３】
ＤＳＰ２４はカメラマイコン４０から入力された屋内条件に適した色関連の係数および調整値に基づいて映像処理を行うことによって、デジタル信号である輝度信号および色信号をフィールドメモリ２５に供給する。
【００４４】
このように、屋外条件と屋内条件とを区分して制御方式を相違にする理由としては、屋内の蛍光灯と屋外の太陽光は光の分光特性が異なるからである。
【００４５】
システムマイコン５０はフィールドメモリ２５に格納されたデータを繰り返し読み込んで出力部９０にディスプレーさせる。これに応じてユーザはカムコーダー１００に備えられた出力部９０を介して静止画像の確認が可能になる。
【００４６】
以上、図面に基づいて本発明の好適な実施形態を図示および説明してきたが本発明の保護範囲は、前述の実施形態に限定するものではなく、特許請求の範囲に記載された発明とその均等物にまで及ぶものである。
【図面の簡単な説明】
【００４７】
【図１】本発明に係る屋外および屋内環境に適した色を表現することのできる静止画像の撮影方法を行うための撮影装置の構成を示したブロック図である。
【図２】本発明に係る屋外および屋内環境に適した色を表現することのできる静止画像の撮影方法を説明するためのフローチャートである。
【符号の説明】
【００４８】
１０    レンズ系
１１    絞り
１２    ズームレンズ
１３    フォーカスレンズ
１４    モータ
１５    モータ駆動部
１６    ホールセンサー
２１    ＣＣＤ
２２    ＣＤＳ
２３    ＡＤＣ
２４    ＤＳＰ
２５    フィールドメモリ
２６    タイミングジェネレーター（ＴＧ）
３０    光学系コントローラー
４０    カメラマイコン
５０    システムマイコン
６０    ＥＥＰＲＯＭ
７０    ビデオテープレコーダー
８０    操作部
９０    出力部
１００  カムコーダー
【図１】
2006025413.tif 000003
【図２】
2006025413.tif 000004